(57)【要約】【課題】同一記録環境下においても出力結果の種々の補正を使用者の判断によって行うことのできる記録システムおよびその補正パラメータ制御方法を提供する。【解決手段】補正パラメータ格納部３３と、パラメータ展開エリア３４とを記録装置３に設け、記録動作に先立って補正パラメータ格納部３３に格納されているデフォルトの補正パラメータをパラメータ展開エリア３４に展開した後に、使用者が選択した補正パラメータをパラメータ展開エリア３４に展開する。【選択図】　　　図１
2004145543.tif 000002
【特許請求の範囲】
【請求項１】
コンピュータと、このコンピュータに接続されコンピュータから送信される記録データに基づいて記録媒体に対する記録を行う記録装置とを有する記録システムであって、
前記記録装置は、デフォルトの補正パラメータが格納可能な補正パラメータ格納部と、前記補正パラメータ格納部に格納されたデフォルトの補正パラメータを記録動作に先立って展開可能なパラメータ展開エリアとを有し、
前記パラメータ展開エリアに展開されたデフォルトの補正パラメータを使用者が選択した補正パラメータに上書き変更可能に構成したことを特徴とする記録システム。
【請求項２】
前記使用者が選択可能な複数の補正パラメータをデバイスドライバに設けたことを特徴とする請求項１に記載の記録システム。
【請求項３】
前記パラメータ展開エリアに上書き変更した補正パラメータを、前記補正パラメータ格納部に上書き保存可能に形成したことを特徴とする請求項１または請求項２に記載の記録システム。
【請求項４】
前記補正パラメータ格納部が不揮発性メモリに形成されており、前記パラメータ展開エリアが揮発性メモリに形成されていることを特徴とする請求項１ないし請求項３のいずれか１項に記載の記録システム。
【請求項５】
コンピュータと、このコンピュータに接続されコンピュータから送信される記録データに基づいて記録媒体に対する記録を行う記録装置とを有する記録システムの補正パラメータ制御方法であって、
記録動作に先立って補正パラメータ格納部に格納されているデフォルトの補正パラメータをパラメータ展開エリアに展開した後に、使用者が選択した補正パラメータをパラメータ展開エリアに展開することを特徴とする記録システムの補正パラメータ制御方法。
【請求項６】
前記使用者が選択可能な複数の補正パラメータをデバイスドライバに設け、こられの補正パラメータから使用者が選択した補正パラメータをパラメータ展開エリアに展開することを特徴とする請求項５に記載の記録システムの補正パラメータ制御方法。
【請求項７】
前記パラメータ展開エリアに上書き変更した補正パラメータを、補正パラメータ格納部に上書き保存することを特徴とする請求項５または請求項６に記載の記録システムの補正パラメータ制御方法。
【請求項８】
前記補正パラメータ格納部を不揮発性メモリに形成し、前記パラメータ展開エリアを揮発性メモリに形成することを特徴とする請求項５ないし請求項７のいずれか１項に記載の記録システムの補正パラメータ制御方法。
【発明の詳細な説明】
【０００１】
【発明の属する技術分野】
本発明は、記録システムおよびその補正パラメータ制御方法に係り、特に、使用者が同一記録環境下においても出力結果の種々の補正を行うことのできる記録システムおよびその補正パラメータ制御方法に関する。
【０００２】
【従来の技術】
従来から、コンピュータ（ネットワークに接続されているコンピュータを含む）に記録装置としてのプリンタを接続し、コンピュータ側の文字や画像などの記録データを用紙などの記録媒体に記録する記録システムが知られている。このような記録システムにおいては、プリンタの起動時あるいは記録動作に先立って記録に供する補正パラーメータが決定されるようになっている。
【０００３】
例えば、記録装置を熱転写プリンタとした場合、熱転写プリンタの起動時のイニシャライズ動作時に、熱転写プリンタの不揮発性メモリに予め格納されている補正パラーメータを揮発性メモリに形成されているパラメータ展開エリアに展開（ダウンロード）することにより、記録動作に用いるデフォルトの補正パラーメータを設定している。
【０００４】
他の例としては、記録媒体（用紙）の種類、インクの種類、記録速度に基づいて選択される複数の補正パラメータをコンピュータのハードディスクに予め記憶し、選択された補正パラメータをデバイスドライバの一つであるプリンタドライバによって、記録装置の一時記憶装置（実際にはＲＡＭ）に記録する構成が提案されている（例えば、特許文献１参照）。この構成では、記録装置に設けたセンサにより、用紙やインクの種類を検出してコンピュータに検出データを送信することで、用紙の内容（用紙とインクの種類）が設定されるようになっている。
【０００５】
前記補正パラーメータは、媒体の種類などによって出力結果の色合い、濃さなどが変わるプリンタ固有のパラメータである。
【０００６】
なお、使用者が、色合い、コントラスト、濃度などの出力結果を変更する場合、通常は、アプリケーションの機能によって変更するのが一般的である。
【０００７】
【特許文献１】
特開平１１−３４８３３５号公報
【０００８】
【発明が解決しようとする課題】
ところで、従来の記録システムにおける補正パラーメータは、プリンタドライバからの記録媒体、記録モードなどの設定によって確立してしまうため、記録媒体の種類、インクの種類、記録速度などが一定の同一記録環境下においては、補正パラメータは基本的に一つであり、色合い、コントラスト、濃度などの出力結果を変更することができないという問題点があった。
【０００９】
すなわち、補正パラメータは、すべての記録対象に対して完全ではなく、様々なファクターによって、最適な補正パラメータが無数に存在する。例えば、同一記録環境下であっても、記録データが「絵主体」か「文字主体」かなどにより、それぞれに最適な出力結果を得るための補正パラメータが存在することがある。しかも、最適な出力結果の判断は、使用者自身が行うことが最も確実である。
【００１０】
そこで、同一記録環境下においても出力結果の種々の補正を使用者の判断によって行うことのできる記録システムおよびその補正パラメータ制御方法が求められている。
【００１１】
本発明はこの点に鑑みてなされたものであり、同一記録環境下においても出力結果の種々の補正を使用者の判断によって行うことのできる記録システムおよびその補正パラメータ制御方法を提供することを目的とする。
【００１２】
【課題を解決するための手段】
前述した目的を達成するため本発明に係る記録システムの特徴は、コンピュータと、このコンピュータに接続されコンピュータから送信される記録データに基づいて記録媒体に対する記録を行う記録装置とを有する記録システムであって、記録装置は、デフォルトの補正パラメータが格納可能な補正パラメータ格納部と、補正パラメータ格納部に格納されたデフォルトの補正パラメータを記録動作に先立って展開可能なパラメータ展開エリアとを有し、パラメータ展開エリアに展開されたデフォルトの補正パラメータを使用者が選択した補正パラメータに上書き変更可能に構成した点にある。そして、このような構成を採用したことにより、使用者が選択した補正パラメータを用いた記録を記録動作毎に行うことができるので、同一記録環境下においても出力結果の種々の補正を使用者の判断によって容易に行うことができる。
【００１３】
本発明に係る記録システムにおいては、使用者が選択可能な複数の補正パラメータをデバイスドライバに設けることが好ましい。さらに、パラメータ展開エリアに上書き変更した補正パラメータを、補正パラメータ格納部に上書き保存可能に形成することが好ましい。また、補正パラメータ格納部を不揮発性メモリに形成し、パラメータ展開エリアを揮発性メモリに形成することが好ましい。
【００１４】
本発明に係る記録システムの補正パラメータ制御方法の特徴は、コンピュータと、このコンピュータに接続されコンピュータから送信される記録データに基づいて記録媒体に対する記録を行う記録装置とを有する記録システムの補正パラメータ制御方法であって、記録動作に先立って補正パラメータ格納部に格納されているデフォルトの補正パラメータをパラメータ展開エリアに展開した後に、使用者が選択した補正パラメータをパラメータ展開エリアに展開する点にある。そして、このような構成を採用したことにより、使用者が選択した補正パラメータを用いた記録を記録動作毎に行うことができるので、同一記録環境下においても出力結果の種々の補正を使用者の判断によって容易に行うことができる。
【００１５】
本発明に係る記録システムの補正パラメータ制御方法においては、使用者が選択可能な複数の補正パラメータをデバイスドライバに設け、こられの補正パラメータから使用者が選択した補正パラメータをパラメータ展開エリアに展開することが好ましい。さらに、パラメータ展開エリアに上書き変更した補正パラメータを補正パラメータ格納部に上書き保存することが好ましい。また、補正パラメータ格納部を不揮発性メモリに形成し、パラメータ展開エリアを揮発性メモリに形成することが好ましい。
【００１６】
【発明の実施の形態】
以下、本発明を図面に示す実施形態により説明する。
【００１７】
図１は本発明に係る記録システムの要部の構成を示すブロック図である。
【００１８】
図１に示すように、本実施形態の記録システム１は、コンピュータ２と、記録装置としてのプリンタ３と、コンピュータ２とプリンタ３とを接続するための双方向通信可能なインターフェース４とを有している。
【００１９】
前記コンピュータ２は、ＣＰＵ２１と、ＣＰＵ２１により動作するプリンタドライバ格納部２２および記録データ格納部２３とを有している。一方のプリンタドライバ格納部２２には、デバイスドライバの一つであるプリンタドライバが格納（記憶、以下同様）されている。本実施形態のプリンタドライバには、実際の記録データ処理や、記録媒体、記録モードなどの設定にかかわるプログラムに加えて、使用者が選択可能な複数の補正パラメータが設けられている。他方の記録データ格納部２３には、アプリケーションが処理した記録データが格納されている。
【００２０】
前記プリンタ３は、ＣＰＵ３１と、ＣＰＵ３１により動作する制御プログラム格納部３２と、補正パラメータ格納部３３と、記録動作に供する補正パラメータを展開するパラメータ展開エリア３４と、プリンタエンジン３５とを有している。
【００２１】
前記制御プログラム格納部３２には、記録動作に必要な多種多様のプログラム、例えば、補正パラメータの制御にかかわるプログラム、具体的には、記録動作に先立って、本実施形態においてはイニシャライズ動作時に、補正パラメータ格納部３３に格納されているデフォルトの補正パラメータをパラメータ展開エリア３４に展開した後に、コンピュータ２からインターフェース４を介して送信される使用者が選択した補正パラメータをパラメータ展開エリア３４に展開（ダウンロード、以下同様）するプログラムが格納されている。また、制御プログラム格納部３２には、コンピュータ２との通信を行うプログラムや、プリンタエンジン３５の動作制御を行うプログラムや、電源投入時のイニシャライズ動作を行うプログラムなどの記録動作に必要な他のプログラムおよびデータも格納されている。
【００２２】
前記補正パラメータ格納部３３は、不揮発性メモリ、例えばＲＯＭに形成されており、記録媒体、記録モード、記録色などの記録パターン毎のデフォルトの補正パラメータが予め格納されている。なお、不揮発性メモリに、他のデータを記憶する構成としてもよい。
【００２３】
前記パラメータ展開エリア３４は、揮発性メモリ、例えばＲＡＭに形成されており、記録に供するデフォルトの補正パラメータが記録動作に先立って展開されるようになっている。
【００２４】
その他の構成は、従来公知の記録システムと同様とされており、図示およびその詳しい説明は省略する。
【００２５】
なお、コンピュータ２の他の構成、プリンタ３のプリンタエンジン３５を含む他の構成は、従来公知のものが用いられており、その詳しい説明および図示は省略する。
【００２６】
つぎに、前述した構成からなる本実施形態の作用について本発明の記録システムの補正パラメータ制御方法の動作とともに図２および図３のフローチャートにより説明する。
【００２７】
図２は本発明に係る記録システムの補正パラメータ制御方法におけるコンピュータ側のフローチャート、図３は本発明に係る記録システムの補正パラメータ制御方法におけるプリンタ側のフローチャートである。
【００２８】
まず、コンピュータ２側の動作について図２のフローチャートにより説明する。
【００２９】
図２に示すように、コンピュータ２側の記録システム１の補正パラメータ制御動作が開始されると、まず、ステップＳＣ０１において、使用者の操作によりアプリケーションにより記録対象の記録データを選択する。
【００３０】
つぎに、ステップＳＣ０２において、コンピュータ２のＣＰＵ２１によりプリンタドライバ格納部２２に格納されているプリンタドライバを起動し、記録媒体、記録モードなどを設定する。
【００３１】
つぎに、ステップＳＣ０３において、プリンタドライバ格納部２２に格納されているプリンタドライバに設けられている使用者が選択可能な複数の補正パラメータから使用者が記録動作に供する補正パラメータを手動により選択し、選択した補正パラメータをインターフェース４を介してプリンタ３に送信する。この時、使用者は、必要に応じて補正パラメータをプリンタ２に書き込み保存する保存指令（書き込み指定）を付加する。なお、使用者の判断によって補正パラメータを選択しないこともできる。
【００３２】
つぎに、ステップＳＣ０４において、前記ステップＳＣ０１での記録対象の記録データを記録データ格納部２３からスプールし、その後、スプールした記録データをインターフェース４を介してプリンタ３に送信し終了する。
【００３３】
つぎに、プリンタ３の動作について図３により説明する。
【００３４】
図３に示すように、プリンタ３側の記録システム１の補正パラメータ制御動作は、プリンタ２を起動することにより開始する。そして、ステップＳＰ０１において、ＣＰＵ３１により動作する制御プログラム格納部３２に格納されている制御プログラムに基づいて、プリンタ２のイニシャライズ動作とともに、補正パラメータ格納部３３に格納されている補正パラメータをパラメータ展開エリア３４に展開する。これにより、記録動作に先立ってパラメータ展開エリア３４にデフォルトの補正パラメータを展開することができる。
【００３５】
つぎに、ステップＳＰ０２において、コンピュータ２から使用者が選択した補正パラメータを受信したか否かを判断し、ステップＳＰ０２の判断が補正パラメータを受信した（ＹＥＳ）場合には、つぎのステップＳＰ０３に進行し、パラメータ展開エリア３４にコンピュータ２から受信した補正パラメータを展開する。これにより、パラメータ展開エリア３４に展開したデフォルトの補正パラメータの一部あるいは全てをコンピュータ２から受信した補正パラメータにより上書き変更することができる。
【００３６】
ついで、ステップＳＰ０４において、コンピュータ２から受信した補正パラメータをプリンタ２に書き込み指定があるか否かを判断し、ステップＳＰ０４の判断が書き込み指定あり（ＹＥＳ）の場合には、つぎのステップＳＰ０５に進行し、ステップＳＰ０５においてコンピュータ２から受信してパラメータ展開エリア３４に展開した補正パラメータを補正パラメータ格納部３３に上書き保存する。これにより、コンピュータ２から受信してパラメータ展開エリア３４に展開した補正パラメータを補正パラメータ格納部３３に上書き保存（格納）できる。この補正パラメータは、プリンタ２の次回起動時に、デフォルトの補正パラメータとなる。このように、使用者が選択した補正パラメータを補正パラメータ格納部３３に上書き保存することにより、補正パラメータ格納部３３の記憶容量を大きくしなくても補正パラメータの保存ができる。なお、補正パラメータの保存動作は、制御プログラム格納部３２に格納されている保存動作を実行するプログラムを起動するための指示を発する押しボタンやコマンドなどにより行うとよい。
【００３７】
前記ステップＳＰ０２の判断が補正パラメータを受信しない（ＮＯ）場合、および前記ステップＳＰ０４の判断が書き込み指定なし（ＮＯ）の場合、ならびに、前記ステップＳＰ０５を終了した場合には、それぞれつぎのステップＳＰ０６に進行し、コンピュータ２から記録に供する記録データを受信したか否かを判断し、記録データを受信した（ＹＥＳ）場合には、つぎのステップＳＰ０７において、記録データをパラメータ展開エリア３４に展開した補正パラメータに基づいて補正したうえでデータ展開し、プリンタエンジン３５を駆動して記録媒体に対する記録動作を実行し、つぎのステップＳＰ０８に進行する。
【００３８】
ついで、ステップＳＰ０８において、記録媒体に対する記録動作が終了したか否かを判断し、記録終了（ＹＥＳ）の場合にはプリンタエンジン３５の駆動を停止し待機状態として終了する。
【００３９】
前記ステップＳＰ０６の判断が記録データを受信しない（ＮＯ）場合、および前記ステップＳＰ０８の判断が記録動作が終了しない（ＮＯ）場合には、前記ステップＳＴ０２に戻って、前記ステップＳＰ０６およびステップＳＰ０７の判断がともにＹＥＳになるまで、前記ステップＳＰ０２以下の動作を繰り返す。
【００４０】
このように本実施形態の記録システム１およびその補正パラメータ制御方法によれば、記録動作に先立ってデフォルトの補正パラメータをパラメータ展開エリア３４に展開した後に、使用者が選択した補正パラメータをパラメータ展開エリア３４に展開することができるので、記録イメージに応じた最適の補正パラメータを使用者が選択できるとともに、使用者が選択した補正パラメータを用いた記録を記録動作毎に行うことができる。その結果、同一記録環境下においても出力結果の種々の補正を使用者の判断によって容易に行うことができる。すなわち、補正パラメータの管理権が使用者にあり、補正パラメータ格納部３３あるいはパラメータ展開エリア３４に格納された補正パラメータを読み出し、編集することが容易にできる。したがって、１台のプリンタ３を、文字の出力に適したプリンタ３、絵やイラストなどの出力に適したプリンタ３、写真画像の出力に適したプリンタ３、フルカラー画像の出力に適したプリンタ３などとして使用者が使い分けすることができる。
【００４１】
また、本実施形態の記録システム１およびその補正パラメータ制御方法によれば、パラメータ展開エリア３４に展開したデフォルトの補正パラメータの一部あるいは全てを使用者が選択した補正パラメータに置き換えて展開することができるので、ネットワークによってプリンタ３が複数のコンピュータ２と接続されている場合、コンピュータ２が変わっても、パラメータ展開エリア３４に展開した補正パラメータを使用するこもできる。
【００４２】
さらに、本実施形態の記録システム１およびその補正パラメータ制御方法によれば、使用者が選択する補正パラメータがプリンタドライバに設けられているから、プリンタドライバの更新により、使用者が選択する補正パラメータの追加、変更という制御を容易に行うことができる。なお、コンピュータをインターネットと接続することで、使用者による新規のプリンタドライバの入手が簡単かつ容易になる。
【００４３】
さらにまた、本実施形態の記録システム１およびその補正パラメータ制御方法によれば、パラメータ展開エリア３４に上書き変更した使用者が選択した補正パラメータを、補正パラメータ格納部３３に上書き保存することができるので、プリンタ３側から補正パラメータを取得することができる。その結果、プリンタ３に格納されている補正パラメータを、コンピュータ２に読み込んだり、自己記録することなどにより、容易に確認することができる。これにより、補正パラメータの微調整を容易に行うことができる。
【００４４】
また、本実施形態の記録システム１およびその補正パラメータ制御方法によれば、補正パラメータ格納部３３が不揮発性メモリに形成されており、パラメータ展開エリア３４が揮発性メモリに形成されているから、使用者が選択した補正パラメータを用いた記録動作、およびプリンタ３のもつ補正パラメータの編集、保存を容易に行うことができる。
【００４５】
なお、本発明は、コンピュータ２に接続される各種の出力機器における補正パラメータの制御に用いることができる。
【００４６】
また、本発明は、前記実施形態に限定されるものではなく、必要に応じて種々変更することができる。
【００４７】
【発明の効果】
以上説明したように本発明に係る記録システムおよびその補正パラメータ制御方法によれば、同一記録環境下においても出力結果の種々の補正を使用者の判断によって容易に行うことができるなどの極めて優れた効果を奏する。
【図面の簡単な説明】
【図１】本発明に係る記録システムの要部の構成を示すブロック図
【図２】本発明に係る記録システムの補正パラメータ制御方法におけるコンピュータ側のフローチャート
【図３】本発明に係る記録システムの補正パラメータ制御方法におけるプリンタ側のフローチャート
【符号の説明】
１　記録システム
２　コンピュータ
３　プリンタ
２１　ＣＰＵ
２２　プリンタドライバ格納部
２３　記録データ格納部
３１　ＣＰＵ
３２　制御プログラム格納部
３３　補正パラメータ格納部
３４　パラメータ展開エリア
３５　プリンタエンジン
【図１】
2004145543.tif 000003
【図２】
2004145543.tif 000004
【図３】
2004145543.tif 000005